(57)【要約】      （修正有）【課題】操作部の回転操作を介して複数の化粧品を選択的に引き出して使用可能な化粧品容器を提供する。【解決手段】容器は、両端部に第１の出口及び第２の出口がそれぞれ形成されるハウジング３００と、前記ハウジングの一領域に少なくとも一部が外部に露出されるように形成されて、ユーザーの操作に応じて回転する操作ホイール４１０と、前記第１の出口に隣接して前記ハウジングの内部に配置され、第１の化粧品を収容する第１の収容部と、前記第２の出口に隣接して前記ハウジングの内部に配置され、第２の化粧品を収容する第２の収容部と、前記第１の収容部と前記第２の収容部とを連結し、前記操作部の回転方向に対応して前記第１の収容部及び前記第２の収容部を前記第１の出口を向く第１の方向又は前記第２の出口を向く第２の方向に移動させる昇降ロッドと、を備える。【選択図】図１
2020006137.tif 000002
【特許請求の範囲】
【請求項１】
化粧品容器であって、
両端部に第１の出口及び第２の出口がそれぞれ形成されるハウジングと、
前記ハウジングの一領域に少なくとも一部が外部に露出されるように形成されて、ユーザーの操作に応じて回転する操作部と、
前記第１の出口に隣接して前記ハウジングの内部に配置され、第１の化粧品を収容する第１の収容部と、
前記第２の出口に隣接して前記ハウジングの内部に配置され、第２の化粧品を収容する第２の収容部と、
前記第１の収容部と前記第２の収容部とを連結し、前記操作部の回転方向に対応して前記第１の収容部及び前記第２の収容部を前記第１の出口を向く第１の方向又は前記第２の出口を向く第２の方向に移動させる昇降ロッドと、を備える、化粧品容器。
【請求項２】
前記操作部は、前記ハウジングの外部に少なくとも一部が露出されてユーザーの回転操作を受信する操作ホイールと、
前記操作ホイールと連動して回転することにより、回転力を前記昇降ロッドに伝える駆動部と、を備える、請求項１に記載の化粧品容器。
【請求項３】
前記駆動部には、前記昇降ロッドが嵌合する貫通孔が形成され、前記貫通孔の内面には、少なくとも一つの駆動突起が形成され、
前記昇降ロッドの外周面に沿って形成された螺旋状のガイド溝に前記駆動突起が結合されて、前記操作部の回転方向に対応して前記ガイド溝に沿って異なる方向に回転移動することにより、前記昇降ロッドが前記第１の方向又は前記第２の方向に移動する、請求項２に記載の化粧品容器。
【請求項４】
前記ガイド溝の少なくとも一領域には、前記ガイド溝を移動する前記駆動突起と係合されて前記操作部の回転を制限する少なくとも一つの係止突起が形成される、請求項３に記載の化粧品容器。
【請求項５】
前記操作部は、前記係止突起によって回転が制限されるが、前記操作部に所定のレベル以上の回転力が加えられる場合、前記駆動突起が前記係止突起から脱係されることにより回転する、請求項４に記載の化粧品容器。
【請求項６】
前記係止突起は複数に構成され、少なくとも一部が前記昇降ロッドの長手方向に異なる位置に配置される、請求項４に記載の化粧品容器。
【請求項７】
前記駆動突起の一領域には、前記係止突起が嵌合する係止溝が凹設される、請求項４に記載の化粧品容器。
【請求項８】
前記昇降ロッドは、前記第１の収容部及び前記第２の収容部の少なくとも一方と一体に形成される、請求項３に記載の化粧品容器。
【請求項９】
前記ハウジングは、
前記第１の出口が形成される第１のハウジングと、
前記第１のハウジングの前記第１の出口の反対側の端部に着脱自在に組み合わせられ、前記第２の出口が形成される第２のハウジングと、を備える、請求項３に記載の化粧品容器。
【請求項１０】
前記ハウジングの内部には、一領域が貫通して係合孔が形成されるが、前記係合孔に前記操作部が回転自在に結合される支持部が形成される、請求項３に記載の化粧品容器。
【発明の詳細な説明】
【技術分野】
【０００１】
本発明は、化粧品容器に係り、具体的に、操作部の回転操作を介して複数の化粧品を選択的に引き出して使用可能な化粧品容器に関する。
【背景技術】
【０００２】
一般に、化粧品容器は、多種多様な化粧品を収容しながら、化粧品が身体の特定の部位に伝わるように化粧品を引き出すような構造を有するが、化粧品容器の構造は、化粧品容器に収容される化粧品の性質によって異なる。
【０００３】
例えば、化粧品が口紅やサンバームなど所定のスティック状を維持可能な固形の化粧品である場合、化粧品容器は、スティック状の化粧品を支持する皿を有し、皿を昇降させて化粧品の引き出しを実現することができる。具体的に、従来のスティック状の化粧品容器は、回転自在に設けられる外筒及び内筒を備え、ユーザーが外筒を把持して下部に露出された内筒を回すと、スティック状の化粧品が上昇しながら外部に引き出されるようにする構造を有してもよい。又は、従来のスティック状の化粧品容器は、下端に外部に露出されたスクリューと、スクリューと螺合された皿と、を有し、容器を把持してスクリューを回すと、皿が上昇しながらスティック状の化粧品を外部に引き出すような構造を有してもよい。
【０００４】
しかしながら、最近には、種々の化粧品が固形タイプで実現される傾向にあるにも拘わらず、従来のスティック状の化粧品容器は、内部に単一の化粧品のみを備えるため、化粧品ごとに別々の容器を携帯することを余儀なくされるという不便さがあった。
【０００５】
したがって、このような問題を解決できる容器が求められる。
【発明の概要】
【発明が解決しようとする課題】
【０００６】
本発明は、上記の問題を解消するために案出されたものであり、操作部の回転操作を介して複数の化粧品を選択的に引き出して使用可能な化粧品容器を提供することをその目的とする。
【０００７】
本発明の技術的な課題は、上述した技術的な課題に何等制限されるものではなく、未言及の他の技術的な課題は、次の記載から当業者にとって明らかに理解できる筈である。
【課題を解決するための手段】
【０００８】
本発明の一実施形態により、化粧品容器が提供される。前記容器は、両端部に第１の出口及び第２の出口がそれぞれ形成されるハウジングと、前記ハウジングの一領域に少なくとも一部が外部に露出されるように形成されて、ユーザーの操作に応じて回転する操作部と、前記第１の出口に隣接して前記ハウジングの内部に配置され、第１の化粧品を収容する第１の収容部と、前記第２の出口に隣接して前記ハウジングの内部に配置され、第２の化粧品を収容する第２の収容部と、前記第１の収容部と前記第２の収容部とを連結し、前記操作部の回転方向に対応して前記第１の収容部及び前記第２の収容部を前記第１の出口を向く第１の方向又は前記第２の出口を向く第２の方向に移動させる昇降ロッドと、を備えていてもよい。
【０００９】
好ましくは、前記操作部は、前記ハウジングの外部に少なくとも一部が露出されてユーザーの回転操作を受信する操作ホイールと、前記操作ホイールと連動して回転することにより、回転力を前記昇降ロッドに伝える駆動部と、を備えていてもよい。
【００１０】
また、好ましくは、前記駆動部には、前記昇降ロッドが嵌合する貫通孔が形成され、前記貫通孔の内面には、少なくとも一つの駆動突起が形成され、前記昇降ロッドの外周面に沿って形成された螺旋状のガイド溝に前記駆動突起が結合されて、前記操作部の回転方向に対応して前記ガイド溝に沿って異なる方向に回転移動することにより、前記昇降ロッドが前記第１の方向又は前記第２の方向に移動してもよい。
【００１１】
さらに、好ましくは、前記ガイド溝の少なくとも一領域には、前記ガイド溝を移動する前記駆動突起と係合されて前記操作部の回転を制限する少なくとも一つの係止突起が形成されてもよい。
【００１２】
さらにまた、好ましくは、前記操作部は、前記係止突起によって回転が制限されるが、前記操作部に所定のレベル以上の回転力が加えられる場合、前記駆動突起が前記係止突起から脱係されることにより回転してもよい。
【００１３】
さらにまた、好ましくは、前記係止突起は複数に構成され、少なくとも一部が前記昇降ロッドの長手方向に異なる位置に配置されてもよい。
【００１４】
さらにまた、好ましくは、前記駆動突起の一領域には、前記係止突起が嵌合する係止溝が凹設されてもよい。
【００１５】
さらにまた、好ましくは、前記昇降ロッドは、前記第１の収容部及び前記第２の収容部の少なくとも一方と一体に形成されてもよい。
【００１６】
さらにまた、好ましくは、前記ハウジングは、前記第１の出口が形成される第１のハウジングと、前記第１のハウジングの前記第１の出口の反対側の端部に着脱自在に組み合わせられ、前記第２の出口が形成される第２のハウジングと、を備えていてもよい。
【００１７】
さらにまた、好ましくは、前記ハウジングの内部には、一領域が貫通して係合孔が形成されるが、前記係合孔に前記操作部が回転自在に結合される支持部が形成されてもよい。
【発明の効果】
【００１８】
本発明によれば、操作部に対する回転操作を介して複数の化粧品を選択的に引き出して使用することができるので、製品の活用度及び携行性を向上させることができる。
【００１９】
また、本発明によれば、操作部の回転を制限する昇降ロッドの係止突起が第１、第２の収容部の位置を知らせる指示子の役割を果たすので、使い勝手がよくなる。
【図面の簡単な説明】
【００２０】
本発明の詳細な説明の欄において引用される図面をより十分に理解するために、各図面に関する簡単な説明が提供される。
【図１】本発明の一実施形態に係る化粧品容器の斜視図である。
【図２】本発明の一実施形態に係る化粧品容器の断面図である。
【図３】本発明の一実施形態に係る化粧品容器の第１、第２の収容部、昇降ロッド及び操作部の分解図である。
【図４】本発明の一実施形態に係る化粧品容器の昇降ロッド及び操作部間の結合関係を示す図である。
【図５】（ａ）及び（ｂ）は、本発明の一実施形態に係る化粧品容器の例示的な動作を示す図である。
【図６ａ】（ａ）及び（ｂ）は、本発明の一実施形態に係る化粧品容器の使用例示を示す図である。
【図６ｂ】（ａ）及び（ｂ）は、本発明の一実施形態に係る化粧品容器の使用例示を示す図である。
【発明を実施するための形態】
【００２１】
以下、添付図面に基づき、本発明に係る実施形態について説明する。各図面の構成要素に参照符号を付するに当たって、同じ構成要素に対しては、たとえ異なる図面の上に示されているとしても、できる限り同じ符号を有するようにしていることに留意すべきである。また、本発明の実施形態について説明するに当たって、関連する公知の構成又は機能についての具体的な説明が本発明の実施形態への理解を妨げると認められる場合には、その詳細な説明は省略する。さらに、以下において、本発明の実施形態について説明するが、本発明の技術的思想はこれに何等限定又は制限されるものではなく、当業者によって変形されて種々に実施され得る。一方、以下に記載される便宜上の上下左右の方向は、図面を基準としたものであり、当該方向に本発明の権利範囲が必ずしも限定されることはない。
【００２２】
明細書の全般に亘って、ある部分が他の部分と「接続」されているとしたとき、これは、「直接的に接続」されている場合だけではなく、これらの間に他の素子を挟んで「間接的に接続」されている場合も含む。明細書の全般に亘って、ある部分がある構成要素を「備える」としたとき、これは、特に断りのない限り、他の構成要素を除外するものではなく、他の構成要素をさらに備えていてもよいということを意味する。なお、本発明の実施形態の構成要素について説明するに当たって、第１、第２、Ａ、Ｂ、（ａ）、（ｂ）などの用語を使用することができる。これらの用語は、その構成要素を他の構成要素と区別するためのものに過ぎず、これらの用語によって当該構成要素の本質や順序又は順番などが限定されることはない。
【００２３】
図１は、本発明の一実施形態に係る化粧品容器の斜視図であり、図２は、本発明の一実施形態に係る化粧品容器の断面図であり、図３は、本発明の一実施形態に係る化粧品容器の第１、第２の収容部、昇降ロッド及び操作部の分解図であり、図４は、本発明の一実施形態に係る化粧品容器の昇降ロッド及び操作部間の結合関係を示す図である（特に、図４の（ｂ）は、図４の（ａ）のａ−ａ’の水平断面図である）。
【００２４】
図１から図４を参照すると、化粧品容器は、第１のキャップ部１００と、第２のキャップ部２００と、ハウジング３００と、操作部４００と、第１の収容部５００と、第２の収容部６００及び昇降ロッド７００を備えていてもよい。
【００２５】
第１のキャップ部１００及び第２のキャップ部２００は、それぞれハウジング３００の第１の端部及びこれとは長手方向に反対側に配置される第２の端部を取り囲むように着脱自在に組み合わせられて、ハウジング３００の両端部に形成された第１の出口３１２及び第２の出口３２２を覆ってもよい。第１のキャップ部１００及び第２のキャップ部２００間の組み合わせのために、第１のキャップ部１００及び第２のキャップ部２００の内面及び／又はハウジング３００の第１の端部及び第２の端部の外面には、例えば、係止爪及び／又は段差（図面符号を省略する）などが形成されてもよい。但し、これは単なる例示に過ぎず、これらに加えて、着脱のために用いられる構造が種々に変形されて適用可能であるということはいうまでもない。
【００２６】
また、図示はしないが、実施形態によって、第１のキャップ部１００及び第２のキャップ部２００の内面には、封止部材が形成されてもよい。このような封止部材は、例えば、第１のキャップ部１００及び第２のキャップ部２００の内周面に沿って形成され、第１のキャップ部１００及び第２のキャップ部２００のハウジング３００の外面に密着されるように構成されてもよい。封止部材は、ゴム、シリコン、ポリウレタンなどの材質から形成されてもよいが、これに限定されることはない。このような封止部材を介して、第１のキャップ部１００及び第２のキャップ部２００間の組み合わせ力をさらに増大させることができ、外部の異物がハウジング３００の内側に流入することを効果的に防ぐことが可能になる。
【００２７】
ハウジング３００は、内側に化粧品Ｓ１、Ｓ２及び他の構成要素（すなわち、操作部４００、第１、第２の収容部５００、６００、昇降ロッド７００）を収容してもよい。このとき、ハウジング３００の第１の端部及び第２の端部には、操作部４００及び昇降ロッド７００の駆動に応じて選択的に化粧品Ｓ１、Ｓ２を外側に引き出すために、第１の出口３１２及び第２の出口３２２がそれぞれ形成されてもよい。
【００２８】
ハウジング３００は、第１のハウジング３１０及び第２のハウジング３２０を備えていてもよい。第１のハウジング３１０及び第２のハウジング３２０には、それぞれ第１の出口３１２及び第２の出口３２２が形成され、互いに着脱自在に結合されるように構成されてもよい。このような結合のために、第１のハウジング３１０の第１の出口３１２の反対側の端部及び第２のハウジング３２０の第２の出口３２２の反対側の端部には、結合突起及び結合溝３１４、３２４などがそれぞれ形成されてもよい。但し、これらは単なる例示的なものに過ぎず、これらに加えて、着脱のために用いられる構造が種々に変形されて適用可能であるということはいうまでもない。
【００２９】
第１のハウジング３１０及び第２のハウジング３２０の内側には、操作部４００を支持するための第１の支持部３１６及び／又は第２の支持部（図面符号を省略する）がそれぞれ形成されてもよい。例えば、第１の支持部３１６及び第２の支持部は、中心に係合孔（図面符号を省略する）が貫通形成され、第１の支持部３１６の係合孔に操作部４００の一端部が回転自在に結合され、第２の支持部の係合孔の周り部分によって操作部４００の反対側の端部が支持されるように構成されてもよい。
【００３０】
一方、図示はしないが、実施形態によって、第１のキャップ部１００と、第２のキャップ部２００及びハウジング３００のうちの少なくとも一つには、出口３１２、３２２の方向、化粧品Ｓ１、Ｓ２の配置などをユーザーに指示するための所定の表示手段が形成されてもよい。
【００３１】
操作部４００は、ハウジング３００の一領域に少なくとも一部が外部に露出されるように形成されてユーザーの操作に応じて水平に回転してもよい。このような操作部４００の回転力が昇降ロッド７００に伝わって、第１、第２の収容部５００、６００をハウジング３００の内面に密着させた状態で長手方向に沿って移動させることができる。
【００３２】
操作部４００は、操作ホイール４１０及び駆動部４２０を備えていてもよい。
【００３３】
操作ホイール４１０は、少なくとも一部がハウジング３００の外部に露出されてユーザーの回転操作を受信してもよい。操作ホイール４１０の外周面には、ユーザーの回転操作をより容易にするために、複数の摩擦突起（図面符号を省略する）が形成されてもよい。
【００３４】
駆動部４２０は、操作部４００の内側に結合されるが、一端部がハウジング３００の第１の支持部３１６の係合孔に回転自在に結合されてもよい。駆動部４２０の一端部には、第１の支持部３１６との結合のために環状の凹溝４２２が形成されてもよい。
【００３５】
駆動部４２０は、操作部４００と連動して回転することにより、操作部４００の回転力を昇降ロッド７００に伝えてもよい。このために、駆動部４２０は、中心に昇降ロッド７００が嵌合する貫通孔（図面符号を省略する）が形成され、このような貫通孔の内面に少なくとも一つの駆動突起４２４が内側に突出して形成されてもよい。このような駆動突起４２４が貫通孔の内側に嵌合した昇降ロッド７００のガイド溝７１０に沿って移動することにより、昇降ロッド７００を第１の方向又はこれとは反対の第２の方向に移動させることになる。一方、駆動突起４２４の一領域には、昇降ロッド７００に形成された係止突起７２０が嵌合するように係止溝４２６が凹設されてもよい。
【００３６】
第１の収容部５００及び第２の収容部６００は、ハウジング３００の第１の出口３１２及び第２の出口３２２に隣接するようにハウジング３００の内部にそれぞれ配置されてもよい。第１の収容部５００及び第２の収容部６００は、ハウジング３００の内部の形状に対応する皿状に形成されて、それぞれ一方の側に互いに異なる成分を有する化粧品Ｓ１、Ｓ２を収容してもよい。例えば、第１の収容部５００は、第１の出口３１２側に第１の化粧品Ｓ１を収容し、第２の収容部６００は、第２の出口３２２側に第２の化粧品Ｓ２を収容してもよい。
【００３７】
ここで、第１、第２の化粧品Ｓ１、Ｓ２は、固形又は半固形の化粧品を網羅し、例えば、スティック状サンクリーム、サンバームなどであってもよいが、これらに限定されることはなく、固形又は半固形などに形成可能な種々の化粧品を網羅する。また、実施形態によって、化粧品Ｓ１、Ｓ２に代えて、固形又は半固形の消炎鎮痛剤などの薬品が適用可能であるということはいうまでもない。
【００３８】
昇降ロッド７００は、第１の収容部５００及び第２の収容部６００を互いに接続してもよい。例えば、昇降ロッド７００は、一端部が第１の収容部５００に結合され、反対側の端部がハウジング３００の第１の支持部３１６及び第２の支持部を通過して第２の収容部６００に結合されるように構成されてもよい。一実施形態において、昇降ロッド７００は、第１の収容部５００及び第２の収容部６００の少なくとも一方と一体に形成されてもよい。例えば、射出によって昇降ロッド７００は第１の収容部５００と一体に形成されるが、昇降ロッド７００の一端部が第２の収容部６００に形成された結合部６１０に着脱自在に結合されるように構成されてもよい。
【００３９】
昇降ロッド７００は、操作部４００から回転力を伝達されて、これと接続された第１の収容部５００及び第２の収容部６００とともに第１の出口３１２を向く第１の方向又は第２の出口３２２を向く第２の方向に移動してもよい。例えば、昇降ロッド７００には、操作部４００の回転力を受信するための螺旋状のガイド溝７１０が外周面に沿って形成されてもよい。上述したように、このようなガイド溝７１０に操作部４００の駆動突起４２４が結合されて操作部４００の回転方向に対応してガイド溝７１０に沿って異なる方向に回転移動することにより、昇降ロッド７００が第１の方向又は第２の方向に移動することになる。
【００４０】
ガイド溝７１０の少なくとも一領域には、駆動突起４２４の移動及び／又は操作部４００回転を制限するための少なくとも一つの係止突起７２０が外側に突設されてもよい。すなわち、例えば、ガイド溝７１０を移動する駆動突起４２４が所定の地点に形成された係止突起７２０と噛み合って係合されることにより、操作部４００の回転が制限されるが、操作部４００に所定のレベル以上の回転力が加えられる場合、駆動突起４２４が係止突起７２０から脱係されることにより、操作部４００が回転するように実現されてもよい。
【００４１】
本発明に係る化粧品容器は、係止突起７２０を介して第１の収容部５００及び第２の収容部６００のハウジング３００の内部における位置をユーザーに認知させることができる。例えば、操作部４００の回転に対応して駆動突起４２４がガイド溝７１０に沿って移動していて、係止溝４２６と係止突起７２０とが噛み合って係合されれば、操作部４００に対するユーザーの回転操作に対して所定のレベルの抵抗を伝えることになり、このような抵抗を介して、ユーザーは、第１、第２の収容部５００、６００が特定の位置に達したことを認知することが可能になる。一実施形態において、係止突起７２０は、第１、第２の収容部５００、６００をそれぞれハウジング３００の両側の出口３１２、３２２から同じ距離に位置させ得る昇降ロッド７００の所定の地点に形成されてもよい。
【００４２】
実施形態によって、このような係止突起７２０は複数に構成され、これらのうちの少なくとも一部が昇降ロッド７００の長手方向に異なる位置にそれぞれ配置されるように実現されてもよい。これにより、ユーザーは、異なる位置に形成された係止突起７２０を介して第１、第２の収容部５００、６００のより様々な位置を認知することが可能になる。
【００４３】
図５は、本発明の一実施形態に係る化粧品容器の例示的な動作を示す図である。
【００４４】
図５を参照すると、化粧品容器は、操作部４００の回転方向に対応して第１の出口３１２及び第２の出口３２２を介して互いに異なる化粧品Ｓ１、Ｓ２を外側に露出（又は、突出）させることができる。
【００４５】
最初に（すなわち、操作部４００に対する回転操作の前に）、化粧品容器は、第１、第２の化粧品Ｓ１、Ｓ２が両方とも外部に露出されず、操作部４００の駆動突起４２４が昇降ロッド７００の係止突起７２０と係合された状態を保つことができる。
【００４６】
まず、図５の（ａ）に示すように、ユーザーが所定のレベル以上の回転力（すなわち、駆動突起４２４を係止突起７２０から脱係させるほどの回転力）を加えて操作部４００を一方向に回転させると、第１の収容部５００、第２の収容部６００及び昇降ロッド７００が第１の出口３１２を向く第１の方向（図５における上側）に移動しながら第１の出口３１２の外側に第１の化粧品Ｓ１が露出されることがある。
【００４７】
次いで、図５の（ｂ）に示すように、ユーザーが操作部４００を反対方向に回転させると、第１の収容部５００、第２の収容部６００及び昇降ロッド７００が第２の出口３２２を向く第２の方向（図５における下側）に移動することができる。このとき、上述したように、ユーザーは、係止突起７２０によって操作部４００の回転操作に対する抵抗が伝達されれば、これから、第１の収容部５００、第２の収容部６００が元の位置に戻ったことを認知することになる。引き続いて、ユーザーが操作部４００を反対方向にさらに回転させると、第１の収容部５００、第２の収容部６００及び昇降ロッド７００が第２の方向にさらに移動し、第２の出口３２２の外側に第２の化粧品Ｓ２が露出されることになる。
【００４８】
図６の（ａ）及び図６の（ｂ）は、本発明の一実施形態に係る化粧品容器の使用例示図である。
【００４９】
図６の（ａ）を参照すると、第１の化粧品Ｓ１を使用しようとする場合、ユーザーは、第１の化粧品Ｓ１が上側に配置されるようにした後、第１のキャップ部１００を取り外すことができる。次いで、ユーザーは、操作ホイール４１０を一方向に回転させて、第１の化粧品Ｓ１を第１の出口３１２を介して上側に引き出して対象部位に塗布することができる。使用し終わると、ユーザーは、操作ホイール４１０を反対方向に回転させて、第１の化粧品Ｓ１をハウジング３００の内部に収容した後、第１のキャップ部１００を再びハウジング３００に結合する。
【００５０】
図６の（ｂ）を参照すると、第２の化粧品Ｓ２を使用しようとする場合、ユーザーは、化粧品容器を上下に反転させて、第２の化粧品Ｓ２が上側に配置されるようにした後、第２のキャップ部２００を取り外すことができる。次いで、ユーザーは、操作ホイール４１０を一方向に回転させて、第２の化粧品Ｓ２を第２の出口３２２を介して上側に引き出すことができる。このとき、化粧品容器が上下に反転されるため、ユーザーにとっては、第１の化粧品Ｓ１を引き出すための回転方向と同じ方向に操作ホイール４１０を回転させると、第２の化粧品Ｓ２が外側に引き出されることになる。使用し終わると、ユーザーは、操作ホイール４１０を反対方向に回転させて、第２の化粧品Ｓ２をハウジング３００の内部に収容した後、第２のキャップ部２００を再びハウジング３００に結合する。
【００５１】
以上のように、図面及び明細書に最適な実施形態が開示された。ここで、特定の用語が使用されたが、これは単に本発明を説明するための目的で使用されたものに過ぎず、意味を限定したり、特許請求の範囲に記載の本発明の範囲を制限したりするために使用されたものではない。よって、本技術分野において通常の知識を有する者であれば、これから種々の変形及び均等な他の実施形態が可能であるということが理解できる筈である。よって、本発明の真の技術的な保護範囲は、添付の特許請求の範囲の技術的な思想によって定められるべきである。
【符号の説明】
【００５２】
１００  第１のキャップ部
２００  第２のキャップ部
３００  ハウジング
３１０  第１のハウジング
３１２  第１の出口
３１４  結合溝
３１６  第１の支持部
３２０  第２のハウジング
３２２  第２の出口
３２４  結合突起
４００  操作部
４１０  操作ホイール
４２０  駆動部
４２２  凹溝
４２４  駆動突起
４２６  係止溝
５００  第１の収容部
６００  第２の収容部
６１０  結合部
７００  昇降ロッド
７１０  ガイド溝
７２０  係止突起
【図１】
2020006137.tif 000003
【図２】
2020006137.tif 000004
【図３】
2020006137.tif 000005
【図４】
2020006137.tif 000006
【図５】
2020006137.tif 000007
【図６ａ】
2020006137.tif 000008
【図６ｂ】
2020006137.tif 000009